(57)【要約】【課題】操作が容易であり、調節後の位置安定性も良好な椅子における座の前後摺動装置を提供する。【解決手段】脚柱の上端に取り付けた支基の左右に、ガイドレール１３を前後方向に設けるとともに、ガイドレール１３に、座の左右下方に設けた可動レール２０を、前後摺動可能に取り付け、かつガイドレール１３に長手方向に沿って被係合部２５を設け、この被係合部２５を設けたガイドレール１３上を摺動する可動レール２０に、前後方向の軸３０回りに回動可能で、前記被係合部２５と係合する係合部２６を設けたレバー部材２７を取り付け、このレバー部材２７を、前記係合部２６と被係合部２５とが係合する方向に弾性付勢するとともに、レバー部材２７を弾性付勢に抗して回動させることにより、前記係合状態を解除し得るようにする。【選択図】　　　　図７
2004049655.tif 000002
【特許請求の範囲】
【請求項１】
椅子における脚柱の上端に取り付けた支基の左右に、ガイドレールを前後方向に設けるとともに、前記ガイドレールに、座の左右下方に設けた可動レールを、それぞれ前後摺動可能に取り付け、かつ前記左右のガイドレールの少なくとも一方に長手方向に沿って被係合部を設け、この被係合部を設けたガイドレール上を摺動する可動レールに、前後方向の軸回りに回動可能で、前記被係合部と係合する係合部を設けたレバー部材を取り付け、このレバー部材を、前記係合部と被係合部とが係合する方向に弾性付勢するとともに、レバー部材を弾性付勢に抗して回動させることにより、前記係合状態を解除し得るようにしたことを特徴とする椅子における座の前後摺動装置。
【請求項２】
前記被係合部を、ガイドレールの外側側面に、上下方向の係合溝を前後方向に複数設けたものとしたことを特徴とする請求項１記載の椅子における座の前後摺動装置。
【請求項３】
前記レバー部材を、板状のレバー取手と、このレバー取手に立設した取付板の上端に設けた前後方向の回動軸よりなるものとし、この回動軸を可動レールに回動可能に取り付けるとともに、レバー取手の内側端面に、前記被係合部の一部の係合溝と係合する係合突起からなる係合部を設けたことを特徴とする請求項２記載の椅子における座の前後摺動装置。
【請求項４】
前記レバー部材の上方に、レバー部材における板状のレバー取手と対をなすように固定取手を可動レールに設け、レバー部材を前記弾性付勢に抗して回動させる際に、固定取手とレバー取手の両者を用いて、係合状態の解除作業を容易になし得るようにしたことを特徴とする請求項３記載の椅子における座の前後摺動装置。
【請求項５】
前記左右のガイドレールに被係合部、同じく可動レールにレバー部材を、それぞれ設けたことを特徴とする請求項１〜４のいずれかに記載の椅子における座の前後摺動装置。
【発明の詳細な説明】
【０００１】
【発明の属する技術分野】
本発明は、椅子における座の前後摺動装置に関する。
【０００２】
【従来の技術】
背凭れに寄り掛かる座者の荷重により、背凭れが後傾し、それに連動して、座が前後動する椅子は公知である。
本願出願人は、近年のＯＡ機器の普及に対処して、たとえば机上のパソコンのキーボード使用時において、背凭れの後傾とは無関係に、背凭れや肘掛けに対する座の前後位置を微調節して、座者の座り心地を改善し、デスクワークの作業効率を向上させることを目的として、簡単な機構で、容易に座の前後位置の調節を行うことができる発明について、先に特許出願している（特開２００２−１３６３７６号）。
【０００３】
【発明が解決しようとする課題】
本発明は、前記目的と併せて、座の前後位置の調節を行う際に、その操作が容易であるとともに、調節後の位置を安定的に保持することができるようにした、椅子における座の前後摺動装置を提供することを目的とする。
【０００４】
【課題を解決するための手段】
本発明によると、上記課題は、次のようにして解決される。
（１）　椅子における脚柱の上端に取り付けた支基の左右に、ガイドレールを前後方向に設けるとともに、前記ガイドレールに、座の左右下方に設けた可動レールを、それぞれ前後摺動可能に取り付け、かつ前記左右のガイドレールの少なくとも一方に長手方向に沿って被係合部を設け、この被係合部を設けたガイドレール上を摺動する可動レールに、前後方向の軸回りに回動可能で、前記被係合部と係合する係合部を設けたレバー部材を取り付け、このレバー部材を、前記係合部と被係合部とが係合する方向に弾性付勢するとともに、レバー部材を弾性付勢に抗して回動させることにより、前記係合状態を解除し得るようにした椅子における座の前後摺動装置とする。
【０００５】
（２）　上記（１）項において、前記被係合部を、ガイドレールの外側側面に、上下方向の係合溝を前後方向に複数設けたものとする。
【０００６】
（３）　上記（２）項において、前記レバー部材を、板状のレバー取手と、このレバー取手に立設した取付板の上端に設けた前後方向の回動軸よりなるものとし、この回動軸を可動レールに回動可能に取り付けるとともに、レバー取手の内側端面に、前記被係合部の一部の係合溝と係合する係合突起からなる係合部を設ける。
【０００７】
（４）　上記（３）項において、前記レバー部材の上方に、レバー部材における板状のレバー取手と対をなすように固定取手を可動レールに設け、レバー部材を前記弾性付勢に抗して回動させる際に、固定取手とレバー取手の両者を用いて、係合状態の解除作業を容易になし得るようにする。
【０００８】
（５）　上記（１）項〜（４）項のいずれかにおいて、前記左右のガイドレールに被係合部、同じく可動レールにレバー部材を、それぞれ設ける。
【０００９】
【発明の実施の形態】
以下、本発明の実施の形態を、添付図面を参照して説明する。
図１、図２は、それぞれ、本発明の一実施形態の座の前後摺動装置を備える椅子の正面図、および側面図である。
また、図３は、図１におけるＩＩＩ〜ＩＩＩ線横断面図、図４は、図１におけるＩＶ〜ＩＶ線要部縦断面図である。
【００１０】
図１及び図２に示すように、この椅子は、先端部にキャスタ（１）が設けられた脚杆（２）を有する脚体（３）の中央に、ガススプリング（図示略）を備える伸縮式の脚柱（４）を立設し、脚柱（４）の上端に、支基（５）の後部を固着して形成されている。
支基（５）の内部には、背凭れ（６）及び座（７）の復帰用の付勢手段が設けられている。
【００１１】
支基（５）の両側壁（５ａ）（５ａ）より左右に突出する支軸（８）の両端部には、背凭れ（６）を支持する側面視ほぼＬ字状の左右１対の背凭れ支持杆（９）（９）の前端部に設けた左右方向を向く筒部（９ａ）（９ａ）が固嵌されており、背凭れ（６）及び背凭れ支持杆（９）（９）は、支軸（８）と一体となって、後下方に傾動し得るようになっている。
左右の背凭れ支持杆（９）の下部における前向部の中間には、肘掛け（１０）が、起立させて設けられている。
【００１２】
左右の背凭れ支持杆（９）における筒部（９ａ）と肘掛け（１０）との中間部には、上向きの座支持杆（１１）が、一体的に設けられている。
【００１３】
図２、および図３におけるＶ〜Ｖ線縦断面図である図５に示すように、前記各座支持杆（１１）の上端部外側面には、横杆（１２）で互いに連結された前後方向を向く左右１対のガイドレール（１３）の後端部が、左右方向を向く軸（１４）をもって連結されている。
【００１４】
前記左右のガイドレール（１３）（１３）の前端部は、図１、図２、および図３におけるＶＩ〜ＶＩ線縦断面図である図６に示すように、支基（５）の両側壁（５ａ）（５ａ）の前部に設けられた外向きの筒部（１５）（１５）の外側に枢着された、上下方向を向く左右の支持リンク（１６）（１６）の上端部内側面に、左右方向を向く横軸（１７）をもって連結されている。このように、ガイドレール（１３）の前後端を支持する座支持杆（１１）と支持リンク（１６）の２つの支持金具は、一方の支持金具をガイドレール（１３）の内側側面に当接し、他方の支持金具をガイドレール（１３）の外側側面に当接させて支持してある。
【００１５】
前記支持リンク（１６）の下端部は、前記筒部（１５）の外側に、左右方向を向く横軸（１８）をもって枢着され、かつ筒部（１５）内に設けられたねじりコイルばねにより、図２における反時計回りに付勢されている。
【００１６】
背凭れ（６）及び背凭れ支持杆（９）（９）を、支軸（８）を中心として後下方に傾動させると、そのときの背凭れ支持杆（９）（９）と一体の座支持杆（１１）（１１）の後傾により、座（７）の後部は後下方に移動させられ、かつそれに連動して、座（７）の前部も、左右の支持リンク（１６）（１６）が、ねじりコイルばねの付勢力に抗して、後傾することにより、若干後下方に移動させられるようになっている。
【００１７】
左右のガイドレール（１３）（１３）には、座（７）の下面より突設した短寸の脚座（１９）（１９）をもって、前後の端部が固着され、座（７）から離間した前後方向を向く左右１対の可動レール（２０）（２０）が、前後方向に摺動可能に装着されている。
【００１８】
図４に示すように、座（７）の前後端の下面より突設した短寸の脚座（１９）（１９）には、上下方向の雌ねじ孔（１９ａ）を貫設してあり、その下面に、可動レール（２０）の前後端部が、下方から挿入したボルト（２１）（２１）によって螺着されている。
【００１９】
ガイドレール（１３）は、図５、図６に示すように、上端左右に外向きの鍔部（１３ａ）（１３ａ）を有するＵ字状断面をなし、そのＵ字溝（１３ｂ）の内部中央に、その溝の深さのほぼ３分の２程度の高さの前後方向の支持片（１３ｃ）が立設されている。支持片（１３ｃ）の前後端部近傍には、図４に示すように、柱状のストッパー（１３ｄ）（１３ｄ）が設けられている。
【００２０】
可動レール（２０）は、図５、図６に示すように、断面がやや横長のほぼ四角形の下辺に、逆台形状の嵌合部（２０ａ）を突出させた形状をなすとともに、図４に示すように、前後方向の端部近傍に、上下方向に貫通する前後に長いスライド孔（２０ｂ）（２０ｂ）が穿設されている。
【００２１】
ガイドレール（１３）と可動レール（２０）との間には、滑り抵抗の小さい摺動用シート（２２）を介在させて、可動レール（２０）がガイドレール（１３）上を円滑に摺動し得るようにしてある。
【００２２】
摺動用シート（２２）は、断面が、上端左右に外向きの鍔部（２２ａ）（２２ａ）を有する低寸のＵ字状をなし、左右の鍔部（２２ａ）（２２ａ）を、ガイドレール（１３）の左右の鍔部（１３ａ）（１３ａ）の上面に載置して、ガイドレール（１３）のＵ字溝（１３ｂ）の上部に嵌合させるとともに、その下面中央を、ガイドレール（１３）の支持片（１３ｃ）をもって支持させ、かつ摺動用シート（２２）の前後端部近傍に穿設した通孔（２２ｂ）（２２ｂ）に、ガイドレール（１３）のストッパー（１３ｄ）を挿通させることによって、ガイドレール（１３）上に固定されている。
【００２３】
可動レール（２０）は、その下面に突設された逆台形状の嵌合部（２０ａ）を、摺動用シート（２２）のＵ字溝（２２ｃ）内に嵌合させるとともに、ガイドレール（１３）の前後のストッパー（１３ｄ）（１３ｄ）を、それぞれ前後のスライド孔（２０ｂ）（２０ｂ）に貫通させ、次いで、ストッパー（１３ｄ）（１３ｄ）に設けられた雌ねじ孔に、ボルト（２３）（２３）を螺合させて取り付けられている。
【００２４】
ボルト（２３）（２３）の頭部（２３ａ）（２３ａ）の直径は、可動レール（２０）のスライド孔（２０ｂ）の幅よりも大きくして、可動レール（２０）がガイドレール（１３）から外れることがないようにしてある。
可動レール（２０）は、スライド孔（２０ｂ）の長さの範囲内において、前後に円滑に摺動させることができる。
【００２５】
ガイドレール（１３）と可動レール（２０）間には、座（７）を前後方向の所望位置に摺動させて調節した後に、その位置で固定するための位置調節装置が設けられている。
【００２６】
図７は、図２における破線長円内の下方斜視部分拡大図である。
位置調節装置（２４）は、ガイドレール（１３）に設けられた被係合部（２５）と、可動レール（２０）に設けられた、前記被係合部（２５）と係合する係合部（２６）を有するレバー部材（２７）とよりなる。
【００２７】
図８は、図７における位置調節装置（２４）の要部の上方分解斜視図である。
図９、図１０は、それぞれ図７におけるＩＸ〜ＩＸ線縦断面図、Ｘ〜Ｘ線縦断面図である。
【００２８】
被係合部（２５）は、ガイドレール（１３）の外側側面（１３ｅ）に、上下方向の係合溝（２５ａ）を前後方向に複数設けて形成されている。
【００２９】
レバー部材（２７）は、板状のレバー取手（２８）と、その内側端に立設した取付板（２９）と、この取付板（２９）の上端に設けられた前後方向の回動軸（３０）とよりなる。
【００３０】
レバー取手（２８）の内側端面（２８ａ）には、前記被係合部（２５）の一部の係合溝（２５ａ）と係合する、前後方向に複数並設された係合突起（２８ｂ）からなる係合部（２５）が設けられ、外側端（２８ｃ）は、取手として手を掛け易いように、外側に向けて湾曲させてある。
【００３１】
可動レール（２０）の前後方向のほぼ中央部には、前記レバー取手（２８）の外側端（２８ｃ）とほぼ同様の形状の固定取手（３１）が、外側に向けて突設されている。可動レール（２０）の上面の、前記固定取手（３１）が設けられた位置には、平面視長方形の凹部（３２）が設けられ、この凹部（３２）の底面（３３）のうち、外方端には、レバー取手（２８）の回動軸（３０）を挿通させるための前後方向に長い開口（３４）が設けられ、この開口（３４）の前後には、回動軸（３０）の両端を、回動自在に支承するための断面半円状の支承溝（３５）（３５）が設けられている。
【００３２】
レバー取手（２８）の回動軸（３０）を前記支承溝（３５）（３５）に支承させた後に、前記凹部（３２）は、キャップ（３６）で被覆される。このキャップ（３６）の裏面の外方端近傍には、前記支承溝（３５）（３５）の半円溝を補完する下向きに開口する半円溝（３７）が設けられており、この半円溝（３７）は、前記支承溝（３５）と相俟って、レバー取手（２８）の回動軸（３０）を位置安定よく回動自在に支持する。
【００３３】
キャップ（３６）は、ボルト（３８）を各通孔（３９）へ挿通して、前記凹部（３２）における底面（３３）の雌ねじ孔（３９ａ）へ螺合することによって、固定されている。
【００３４】
レバー取手（２８）の上面の前後には、それぞれ、コイルばね（４０）の下部を嵌入しうる係止筒（４１）が設けられ、固定取手（３１）の下面には、前記コイルばね（４０）（４０）の上端を係止する係止凹孔（４２）（４２）が設けられている。
【００３５】
上下端が、それぞれ前記係止凹孔（４２）と、係止筒（４１）に嵌合係止されたコイルばね（４０）（４０）の作用によって、レバー取手（２８）は、図１０に示すように、前後方向の回動軸（３０）の回りに弾性付勢され、レバー取手（２８）の係合部（２６）は、ガイドレール（１３）の被係合部（２５）に係合している。
【００３６】
座（７）の前後位置を調節するには、たとえば、固定取手（３１）の上面に手の親指を当て、レバー取手（２８）の下面にその他の指を当てて、図１１に示すように、レバー取手（２８）をコイルばね（４０）（４０）による弾性付勢に抗して、回動軸（３０）の回りに回動させることにより、係合状態を解除し、可動レール（２０）を、摺動用シート（２２）を介して、ガイドレール（１３）上を摺動させることにより、容易に座（１）の前後位置を調節することができる。
【００３７】
位置を調節した後、レバー取手（２８）から手を離すと、レバー取手（２８）は、コイルばね（４０）の弾性付勢の作用により、再びレバー取手（２８）の係合部（２６）が、ガイドレール（１３）の被係合部（２５）に係止され、座（７）の前後位置が、その位置で固定される。
【００３８】
【発明の効果】
本発明によれば、下記の効果が奏せられる。
（１）　請求項１記載の発明によれば、座の前後位置を調節する際には、レバー部材を回動させて係合部と被係合部との係合を解除し、次いで座を所望の前後位置に摺動させた後に、レバー部材から手を離すだけの簡単な操作によって、レバー部が弾性付勢されているため、調節後の位置を安定的に保持することができる。
【００３９】
（２）　請求項２記載の発明によれば、係合部との係合が容易であるとともに、調節後の座の前後位置を安定的に保持することができる被係合部を、容易に形成することができる。
【００４０】
（３）　請求項３記載の発明によれば、座の前後位置を調節する際に、操作が簡単で、かつ被係合部との係合が容易かつ確実なレバー部材を、容易に形成することができる。
【００４１】
（４）　請求項４記載の発明によれば、座の前後位置を調節する際の操作を、一層容易にすることができる。
【００４２】
（５）　請求項５記載の発明によれば、調節後の座の前後位置を、一層安定的に保持することができる。
【図面の簡単な説明】
【図１】本発明の一実施形態の座の前後摺動装置を備える椅子の正面図である。
【図２】同じく、前記椅子の側面図である。
【図３】図１におけるＩＩＩ〜ＩＩＩ線横断面図である。
【図４】図１におけるＩＶ〜ＩＶ線要部縦断面図である。
【図５】同じく、図３におけるＶ〜Ｖ線縦断面図である。
【図６】同じく、図３におけるＶＩ〜ＶＩ線縦断面図である。
【図７】図２における破線長円内の下方斜視部分拡大図である。
【図８】図７における位置調節装置の要部の上方斜視分解図である。
【図９】同じく、図７におけるＩＸ〜ＩＸ線縦断面図である。
【図１０】同じく、図７におけるＸ〜Ｘ線縦断面図であり、レバー取手の係合部が、ガイドレールの被係合部に係合している状態を示す。
【図１１】レバー取手の係合部と、ガイドレールの被係合部との係合が解除された状態を示す、図１０と同様の図である。
【符号の説明】
（１）キャスター
（２）脚杆
（３）脚体
（４）脚柱
（５）支基
（５ａ）側壁
（６）背凭れ
（７）座
（８）支軸
（９）背凭れ支持杆
（９ａ）筒部
（１０）肘掛け
（１１）座支持杆
（１２）横杆
（１３）ガイドレール
（１３ａ）鍔部
（１３ｂ）Ｕ字溝
（１３ｃ）支持片
（１３ｄ）ストッパー
（１３ｅ）外側側面
（１４）軸
（１５）筒部
（１６）支持リンク
（１７）（１８）横軸
（１９）脚座
（１９ａ）雌ねじ孔
（２０）可動レール
（２０ａ）嵌合部
（２０ｂ）スライド孔
（２１）ボルト
（２２）摺動用シート
（２２ａ）鍔部
（２２ｂ）通孔
（２２ｃ）Ｕ字溝
（２３）ボルト
（２４）位置調節装置
（２５）被係合部
（２５ａ）係合溝
（２６）係合部
（２７）レバー部材
（２８）レバー取手
（２８ａ）内側端面
（２８ｂ）係合突起
（２８ｃ）外側端
（２９）取付板
（３０）回動軸
（３１）固定取手
（３２）凹部
（３３）底面
（３４）開口
（３５）支承溝
（３６）キャップ
（３７）半円溝
（３８）ボルト
（３９）通孔
（３９ａ）雌ねじ孔
（４０）コイルばね
（４１）係止筒
（４２）係止凹孔
【図１】
2004049655.tif 000003
【図２】
2004049655.tif 000004
【図３】
2004049655.tif 000005
【図４】
2004049655.tif 000006
【図５】
2004049655.tif 000007
【図６】
2004049655.tif 000008
【図７】
2004049655.tif 000009
【図８】
2004049655.tif 000010
【図９】
2004049655.tif 000011
【図１０】
2004049655.tif 000012
【図１１】
2004049655.tif 000013